(57)【要約】【課題】組立作業が容易で、部品点数を増やすことなく、カメラユニットを確実に所定位置に固定するとともに、カメラレンズ部の防塵や遮光、カメラユニット鏡筒部の保護を確実に行うことが可能なカメラユニット固定構造を提供する。【解決手段】カメラユニット固定構造はカメラユニット３の周囲をホルダ部材４で包みつつ保持し、携帯端末機器のケース１で回路基板２側に固定する構成となっている。カメラユニット３はホルダ部材４側の凸部と携帯端末機器のケース１側の凹部とを嵌合させることで確実に所定位置に固定される。カメラユニット固定構造は携帯端末機器のケース１の外側からホルダ部材４の上側にゴムやスポンジ等の緩衝材６を設置し、カメラ部のスクリーン５を携帯端末機器のケース１の凹部に貼付し、カメラ部のスクリーン５とカメラユニット３との間を密閉構造としている。【選択図】      図１
2004200944.tif 000002
【特許請求の範囲】
【請求項１】
カメラユニットを備えた携帯端末機器であって、前記カメラユニットの周囲を囲うようにして保持するホルダ部材と、前記ホルダ部材に勘合されかつ前記ホルダ部材を回路基板側に押圧固定するケース部材とを有し、前記ホルダ部材にて前記カメラユニットを前記ケース部材に対して位置決めすることを特徴とする携帯端末機器。
【請求項２】
前記ホルダ部材は、前記ケース部材と前記回路基板との間に配設され、前記カメラユニットの鏡筒部に対して隙間を設けて保護し、前記鏡筒部の外周に沿う側壁肉厚を大きくして高剛性化したことを特徴とする請求項１記載の携帯端末機器。
【請求項３】
前記ホルダ部材と前記ケース部材との間に配設されかつ少なくとも前記鏡筒部への外圧防止作用とカメラレンズに対する防塵作用とを持つ緩衝材を含むことを特徴とする請求項１または請求項２記載の携帯端末機器。
【請求項４】
前記緩衝材は、少なくともゴム及びスポンジを含む部材からなることを特徴とする請求項３記載の携帯端末機器。
【請求項５】
前記緩衝材は、前記回路基板上の発光部品から前記カメラレンズに対する光の回り込みを防止する作用を持つことを特徴とする請求項３または請求項４記載の携帯端末機器。
【請求項６】
携帯端末機器に備えられたカメラユニットを固定するカメラユニット固定構造であって、前記カメラユニットの周囲を囲うようにホルダ部材にて保持し、前記ホルダ部材を前記携帯端末機器のケース部材にて回路基板側に押圧固定するとともに、前記ホルダ部材を前記ケース部材に嵌合させて前記ケース部材に対して前記カメラユニットの位置決めを行うことを特徴とするカメラユニット固定構造。
【請求項７】
前記ホルダ部材は、前記ケース部材と前記回路基板との間に配設され、前記カメラユニットの鏡筒部に対して隙間を設けて保護し、前記鏡筒部の外周に沿う側壁肉厚を大きくして高剛性化したことを特徴とする請求項６記載のカメラユニット固定構造。
【請求項８】
前記ホルダ部材と前記ケース部材との間に緩衝材を配置したことを特徴とする請求項６または請求項７記載のカメラユニット固定構造。
【請求項９】
前記緩衝材は、少なくともゴム及びスポンジを含む部材からなることを特徴とする請求項８記載のカメラユニット固定構造。
【請求項１０】
前記回路基板上の発光部品から前記カメラレンズに対する光の回り込みを前記緩衝材にて遮蔽することを特徴とする請求項８または請求項９記載のカメラユニット固定構造。
【発明の詳細な説明】
【０００１】
【発明の属する技術分野】
本発明は携帯端末機器及びそれに用いるカメラユニット固定構造に関し、特にカメラユニットを備えた携帯端末機器におけるカメラユニットの固定構造に関する。
【０００２】
【従来の技術】
従来、カメラユニットを備えた携帯電話機やＰＤＡ（Ｐｅｒｓｏｎａｌ  Ｄｉｇｉｔａｌ  Ａｓｓｉｓｔａｎｔ）等の携帯端末機器においては、カメラユニットの固定構造として、図４及び図５に示すような構造をとっている。
【０００３】
図４及び図５において、カメラユニット固定構造はカメラユニット１３をホルダ部材上部１４ａ側から挿入して保持しつつ、機器のケース１１で回路基板１２側に押圧固定している。そのため、ホルダ部材上部１４ａは形状上、ケース１１に対するカメラユニット１３の位置決めを、回路基板１２とホルダ部材１４とを使用して行っている。
【０００４】
また、従来のカメラユニット固定構造においては、カメラユニット１３の鏡筒１３ａ上に緩衝材１６を貼付し、カメラ部スクリーン１５とカメラレンズ１７とを密閉して防塵しつつ、同時に回路基板１２上に発光部品（図示せず）が存在する場合には、カメラレンズ１７への光の回り込みを防止している。
【０００５】
上記のようなカメラユニット固定構造としては、部品点数を回避するために、ケースに保持部材を一体に形成し、その保持部材がカメラＩＣ（集積回路）を保持するように構成したものもある（例えば、特許文献１参照）。
【０００６】
【特許文献１】
特開２００２−３１４８５７号公報（第４，５頁、図１〜３）
【０００７】
【発明が解決しようとする課題】
しかしながら、上述した従来のカメラユニット固定構造では、ケースに対してカメラレンズの位置ずれが大きくなり、カメラ部のスクリーンに対してカメラレンズが偏芯するという外観上の不具合になり、使用者へ不安感を与えるという問題がある。
【０００８】
しかも、従来のカメラユニット固定構造では、使用中に誤ってカメラ部のスクリーンに外部からの圧力を加えると、緩衝材を通してカメラユニット鏡筒部に負荷がかかりやすく、場合によってはカメラユニット鏡筒部の破損に至るという問題が存在する。
【０００９】
さらに、携帯端末機器は小型で、小容量であるため、カメラユニットと発光部品とが近接する場合、カメラ撮影中に発光した時に光の回り込み、ハレーションの発生や、カメラレンズに機器内の埃や塵等の異物が付着することによる撮影画像への黒点の発生という問題がある。
【００１０】
そこで、本発明の目的は上記の問題点を解消し、組立作業が容易で、部品点数を増やすことなく、カメラユニットを確実に所定位置に固定することができるとともに、カメラレンズ部の防塵や遮光、カメラユニット鏡筒部の保護を確実に行うことができる携帯端末機器及びそれに用いるカメラユニット固定構造を提供することにある。
【００１１】
【課題を解決するための手段】
本発明による携帯端末機器は、カメラユニットを備えた携帯端末機器であって、前記カメラユニットの周囲を囲うようにして保持するホルダ部材と、前記ホルダ部材に勘合されかつ前記ホルダ部材を回路基板側に押圧固定するケース部材とを備え、前記ホルダ部材にて前記カメラユニットを前記ケース部材に対して位置決めしている。
【００１２】
本発明によるカメラユニット固定構造は、携帯端末機器に備えられたカメラユニットを固定するカメラユニット固定構造であって、前記カメラユニットの周囲を囲うようにホルダ部材にて保持し、前記ホルダ部材を前記携帯端末機器のケース部材にて回路基板側に押圧固定するとともに、前記ホルダ部材を前記ケース部材に嵌合させて前記ケース部材に対して前記カメラユニットの位置決めを行っている。
【００１３】
すなわち、本発明の携帯端末機器のカメラユニット固定構造は、カメラユニットをホルダ部材で保持しかつ機器のケースで回路基板側に押圧固定しており、ホルダ部材に、カメラユニットの外周部を包持するホルダ本体部と、ケースとの位置決めに使用する嵌合部とを併せ持たせている。
【００１４】
これによって、本発明のカメラユニット固定構造では、ケースに対するカメラユニットの位置決めがホルダ部材を通して可能になり、回路基板の位置ずれの影響を受けない。この場合、ケースとホルダ部材との嵌合部は、使用中に誤ってカメラ部のスクリーンに外部からかかる圧力に対しても、変形防止の効果によって高剛性を保持することが可能となる。
【００１５】
また、本発明のカメラユニット固定構造では、カメラ撮影中に発光した時に光の回り込みを防止し、同時に隙間がないために、カメラレンズに対する機器内への埃や塵等の異物進入を防止する等の効果が得られる。
【００１６】
よって、本発明のカメラユニット固定構造では、組立作業が容易で部品点数を増やすことなく、カメラユニットを確実に所定位置に固定することが可能となり、カメラレンズの位置ずれによる見栄えが悪化するのを防止し、外圧によるカメラユニットが破損するのを防止するとともに、カメラレンズへの防塵効果や遮光によるハレーション防止の対策を施すことが可能となる。
【００１７】
【発明の実施の形態】
次に、本発明の実施例について図面を参照して説明する。図１は本発明の一実施例によるカメラユニット固定構造の断面図であり、図２は本発明の一実施例によるカメラユニット固定構造の部品形状及び組立状態を表す分解斜視図である。これら図１及び図２において、本発明の一実施例による携帯端末機器のカメラユニット固定構造は、カメラユニット３を備えた携帯電話機やＰＤＡ（Ｐｅｒｓｏｎａｌ  Ｄｉｇｉｔａｌ  Ａｓｓｉｓｔａｎｔ）等の携帯端末機器に用いられるものである。
【００１８】
本発明の一実施例によるカメラユニット固定構造は、カメラユニット３をホルダ部材４と圧入等で仮固定し、そのホルダ部材４を回路基板２と爪嵌合や接合等によって仮固定し、回路基板２を携帯端末機器のケース１と爪嵌合やネジ締結等で接合し、携帯端末機器のケース１の外側からホルダ部材４の上側にゴムやスポンジ等の緩衝材６を設置し、カメラ部のスクリーン５を携帯端末機器のケース１の凹部に貼付する構造としている。
【００１９】
ホルダ部材４の形状は、カメラユニット３を包みこむ外周部と、携帯端末機器のケース１のスクリーン貼付フランジを支える突起部４ｂと、携帯端末機器のケース１の開口穴壁１ａに嵌合しつつ緩衝材６とカメラ部のスクリーン５とを支える突起部４ａとからなる。
【００２０】
カメラユニット３は回路基板２側に押付固定可能なホルダ部材４との間で、回路基板２との配線、組立ても容易で、ホルダ部材４に対して圧入による位置決め精度が確保されている。
【００２１】
ホルダ部材４と携帯端末機器のケース１とが突起部４ｂの嵌合によって位置決め精度が確保されるので、カメラユニット３及び携帯端末機器のケース１は位置決め精度が確保可能な構造となっている。
【００２２】
緩衝材６は組立て時にカメラレンズ７に対する異物混入を防ぐため、カメラ部のスクリーン５を貼付する寸前に挟み置くことで、容易に、再度設置可能となっている。
【００２３】
ホルダ部材４にはカメラユニット３の鏡筒部３ａと緩衝材６とが直接触れないように、ある程度の隙間を与えており、ホルダ部材４とカメラユニット３との圧入による密閉と、カメラ部のスクリーン５とホルダ部材４との間で緩衝材６を挟み込むことによる密閉とを作ることができるので、カメラ部のスクリーン５とカメラユニット３との間に密閉空間が完成される構造となっている。
【００２４】
したがって、本実施例では、携帯端末機器のケース１に対するカメラユニット３の位置決めを、ホルダ部材４を通して可能としているので、回路基板２の位置の影響を受けず、携帯端末機器のケース１とホルダ部材４との嵌合部がカメラ部のスクリーン５への外圧に対しても変形防止の効果によって高剛性を保持することができる。
【００２５】
また、本実施例では、カメラ部のスクリーン５とカメラユニット３との間を密閉とすることで、カメラ撮影中に、回路基板２の部品が発光した時にカメラユニット３への光の回り込みを防止することができ、同時にカメラレンズ７に埃や塵等の異物が付着するのを防止することができる。
【００２６】
このように、本実施例では、カメラユニット３をホルダ部材４で保持し、携帯端末機器のケース１で回路基板２側に押圧固定しており、ホルダ部材４がカメラユニット３の外周部を包持するホルダ部材４と携帯端末機器のケース１との嵌合部とを有しているため、携帯端末機器のケース１に対するカメラユニット３の位置決めを、ホルダ部材４を通してだけで可能になり、回路基板２の位置の影響を受けない。
【００２７】
したがって、本実施例では、組立作業が容易で、部品点数を増やすことなく、カメラユニット３を確実に所定位置に固定することができるとともに、カメラレンズ７に対する防塵や遮光、カメラユニット３の鏡筒部３ａの保護を確実に行うことができる。
【００２８】
図３は本発明の他の実施例によるカメラユニット固定構造の断面図である。図３において、本発明の他の実施例によるカメラユニット固定構造は、緩衝材６をホルダ部材４と携帯端末機器のケース１との間に配置し、緩衝材６をホルダ部材４の突起部４ｂの面で携帯端末機器のケース１との間に挟み込んで固定するようにした以外は図１に示す本発明の一実施例によるカメラユニット固定構造と同様の構成としており、同一構成要素には同一符号を付してある。
【００２９】
これによって、本発明の他の実施例によるカメラユニット固定構造では、本発明の一実施例によるカメラユニット固定構造と同様に、携帯端末機器のケース１とカメラユニット３との位置決めが可能となり、携帯端末機器のケース１とホルダ部材４の嵌合部４ｂとの間の隙間をなくし、カメラ撮影中、回路基板２の部品が発光した時にカメラユニット３への光の回り込みを防止することができ、同時に、隙間がないためにカメラレンズ７や機器内への埃や塵等の異物進入を防止することができる。
【００３０】
また、本発明の他の実施例によるカメラユニット固定構造では、携帯端末機器のケース１とホルダ部材４との嵌合部における隙間をなくしているので、カメラレンズ７や機器内への埃や塵等の異物進入を防止することができる。
【００３１】
【発明の効果】
以上説明したように本発明は、携帯端末機器に備えられたカメラユニットを固定するカメラユニット固定構造において、カメラユニットの周囲を囲うようにホルダ部材にて保持し、ホルダ部材を携帯端末機器のケース部材にて回路基板側に押圧固定するとともに、ホルダ部材をケース部材に嵌合させることでケース部材に対してカメラユニットの位置決めを行うことによって、組立作業が容易で、部品点数を増やすことなく、カメラユニットを確実に所定位置に固定することができるとともに、カメラレンズ部の防塵や遮光、カメラユニット鏡筒部の保護を確実に行うことができるという効果が得られる。
【図面の簡単な説明】
【図１】本発明の一実施例によるカメラユニット固定構造の断面図である。
【図２】本発明の一実施例によるカメラユニット固定構造の部品形状及び組立状態を表す分解斜視図である。
【図３】本発明の他の実施例によるカメラユニット固定構造の断面図である。
【図４】従来のカメラユニット固定構造の断面図である。
【図５】従来のカメラユニット固定構造の部品形状及び組立状態を表す分解斜視図である。
【符号の説明】
１  携帯機器のケース
１ａ  開口穴壁
２  回路基板
３  カメラユニット
３ａ  鏡筒部
４  ホルダ部材
４ａ，４ｂ  突起部
５  カメラ部のスクリーン
６  緩衝材
７  カメラレンズ
【図１】
2004200944.tif 000003
【図２】
2004200944.tif 000004
【図３】
2004200944.tif 000005
【図４】
2004200944.tif 000006
【図５】
2004200944.tif 000007